(57)【要約】【課題】室外機の組立性を向上させる【解決手段】室外機は、ケーシング内の所定固定位置に配置された状態でケーシングの前板４６に固定される加湿ユニットを備えている。加湿ユニットには突起部（第１係合部）６６が設けられており、ケーシングの前板４６には切欠き（第２係合部）４６ｄが設けられている。突起部６６と切欠き４６ｄとが係合されることで、加湿ユニットは所定固定位置に配置される。【選択図】図１４
2014070819.tif 000002
【特許請求の範囲】
【請求項１】
ケーシング内の所定固定位置に配置された状態で前記ケーシングに固定される付加機能ユニットを備えており、
前記付加機能ユニットが第１係合部を有し、前記ケーシングが第２係合部を有しており、
前記第１係合部と前記第２係合部とが係合されると、前記付加機能ユニットが前記所定固定位置に配置されることを特徴とする室外機。
【請求項２】
前記第１係合部が、前記付加機能ユニットの外面から突出する突起部であり、
前記第２係合部が、前記突起部が係合するとともに上方に開口した凹部であることを特徴とする請求項１に記載の室外機。
【請求項３】
前記凹部が、上方に向かって幅が広くなっていることを特徴とする請求項２に記載の室外機。
【請求項４】
前記ケーシングが、開口部を有しており、
前記凹部が、前記開口部の下縁に形成された切欠きであることを特徴とする請求項２または３に記載の室外機。
【発明の詳細な説明】
【技術分野】
【０００１】
本発明は、例えば加湿ユニットなどの付加機能ユニットを備える室外機に関するものである。
【背景技術】
【０００２】
空気調和機は、室内機と室外機で構成されており、室外機は、ファン、熱交換器および圧縮機等の内部機器と、これらを収容するケーシングとを備えている。例えば特許文献１、２の室外機においては、ファンは、熱交換器の前方に配置されており、ファンを駆動するファンモータは、モータと熱交換器との間に配置されたモータ支持部材によって支持されている。このモータ支持部材は、ケーシングの底板と熱交換器の上端に取り付けられている。
【０００３】
特許文献１では、モータ支持部材には、前方に延びる前面側支持部が設けられており、この前面側支持部と、ケーシング内を送風室と機械室とに仕切る仕切り板の上に、スイッチボックスが支持されている。
【０００４】
また、従来から、空気調和機として、外気から水分を取り込んで加湿空気を生成して室内に供給する加湿運転を行うものがある。例えば特許文献２では、加湿空気を生成する加湿ユニットが、室外機の上に併設されている。
【０００５】
近年では、室外機の小型化のために、加湿ユニットを室外機の内部に設けることが提案されている。この場合の加湿ユニットの取付構造の一例として、加湿ユニットを、特許文献１のスイッチボックスのように、モータ支持部材から前方に延びる前面側支持部と仕切板の上に支持させて、ケーシングと加湿ユニットをネジ等で固定する場合がある。
【先行技術文献】
【特許文献】
【０００６】
【特許文献１】特開２００３−１０６５７１号公報
【特許文献１】特開２００４−０５３１９８号公報
【発明の概要】
【発明が解決しようとする課題】
【０００７】
しかしながら、加湿ユニットが、モータ支持部材の前面側支持部と仕切板だけで支持される場合、加湿ユニットの自重によって、加湿ユニットと前面側支持部がたわんでしまう場合がある。ケーシングと加湿ユニットとを固定する際に、加湿ユニットがたわんでいると、ケーシングと加湿ユニットの固定位置がずれてしまうため、組立性が悪くなる。
【０００８】
そこで、本発明は、組立性を向上できる室外機を提供することを目的とする。
【課題を解決するための手段】
【０００９】
第１の発明に係る室外機は、ケーシング内の所定固定位置に配置された状態で前記ケーシングに固定される付加機能ユニットを備えており、前記付加機能ユニットが第１係合部を有し、前記ケーシングが第２係合部を有しており、前記第１係合部と前記第２係合部とが係合されると、前記付加機能ユニットが前記所定固定位置に配置されることを特徴とする。
【００１０】
この室外機では、付加機能ユニットとケーシングとを固定する際に、付加機能ユニットが自重によってたわんで所定固定位置からずれている場合であっても、付加機能ユニットの第１係合部とケーシングの第２係合部とを係合させることで、付加機能ユニットを所定固定位置に配置できるため、付加機能ユニットとケーシングの固定位置のずれを解消できる。したがって、室外機の組立性を向上させることができる。
【００１１】
第２の発明に係る室外機は、第１の発明において、前記第１係合部が、前記付加機能ユニットの外面から突出する突起部であり、前記第２係合部が、前記突起部が係合するとともに上方に開口した凹部であることを特徴とする。
【００１２】
この室外機では、付加機能ユニットが自重によりたわんで、所定の固定位置より下方にずれている場合であっても、付加機能ユニットに設けられた突起部を、ケーシングに設けられた上方に開口した凹部に係合させて、ケーシングを上方に移動させることで、付加機能ユニットを所定固定位置に配置することができる。
【００１３】
第３の発明に係る室外機は、第２の発明において、前記凹部が、上方に向かって幅が広くなっていることを特徴とする。
【００１４】
この室外機では、凹部の幅が開口側に向かって広くなっているため、凹部に突起部を挿入しやすい。
【００１５】
第４の発明に係る室外機は、第２または第３の発明において、前記ケーシングが、開口部を有しており、前記凹部が、前記開口部の下縁に形成された切欠きであることを特徴とする。
【００１６】
この室外機では、凹部が、開口部の下縁に形成された切欠きであるため、凹部の上方の空間を広く確保できる。そのため、凹部に突起部を挿入しやすい。
【発明の効果】
【００１７】
以上の説明に述べたように、本発明によれば、以下の効果が得られる。
【００１８】
第１の発明では、付加機能ユニットとケーシングとを固定する際に、付加機能ユニットが自重によってたわんで所定固定位置からずれている場合であっても、付加機能ユニットの第１係合部とケーシングの第２係合部とを係合させることで、付加機能ユニットを所定固定位置に配置できるため、付加機能ユニットとケーシングの固定位置のずれを解消できる。したがって、室外機の組立性を向上させることができる。
【００１９】
第２の発明では、付加機能ユニットが自重によりたわんで、所定の固定位置より下方にずれている場合であっても、付加機能ユニットに設けられた突起部を、ケーシングに設けられた上方に開口した凹部に係合させて、ケーシングを上方に移動させることで、付加機能ユニットを所定固定位置に配置することができる。
【００２０】
第３の発明では、凹部の幅が開口側に向かって広くなっているため、凹部に突起部を挿入しやすい。
【００２１】
第４の発明では、凹部が、開口部の下縁に形成された切欠きであるため、凹部の上方の空間を広く確保できる。そのため、凹部に突起部を挿入しやすい。
【図面の簡単な説明】
【００２２】
【図１】本発明の実施形態に係る空気調和機の概略構成を示す図である。
【図２】空気調和機の回路図である。
【図３】室外機からグリルを取り外した状態を示す斜視図である。
【図４】図３の室外機からケーシングの前板および天板を取り外した状態の斜視図である。
【図５】図４の室外機から加湿ユニットと圧縮機等を取り外した状態の斜視図である。
【図６】図１のＡ−Ａ線断面図である。
【図７】グリルとケーシングの背面図である。
【図８】グリルの背面図である。
【図９】グリルを背面側の斜め上から見た斜視図である。
【図１０】ファンモータ支持部材の斜視図である。
【図１１】加湿ユニットの斜視図である。
【図１２】図１１の部分拡大斜視図である。
【図１３】ファンモータ支持部材に加湿ユニットを取り付けた状態の部分拡大斜視図である。
【図１４】室外機からグリルを取り外した状態の部分拡大正面図である。
【発明を実施するための形態】
【００２３】
以下、本発明の実施の形態について説明する。
［空気調和機の概要］
図１に示すように、本実施形態の空気調和機１０は、室内に設置される室内機２０と屋外に設置される室外機３０とが連絡配管１２によって接続されて構成されている。空気調和機１０は、冷房運転、暖房運転、加湿運転、除湿運転、給気運転などの複数の運転モードを有しており、これらの運転モードは適宜組み合わせて実施することもできる。
【００２４】
冷房運転および暖房運転では、室外機３０から送られた冷媒と室内空気とを室内機２０の室内熱交換器２１において熱交換させて、室内空気を冷却または加熱する。また、加湿運転では、室外機３０の加湿ユニット６０において、外気から水分を取り込んで加湿空気を生成し、この加湿空気を室内機２０に供給する。給気運転では、外気を加湿せずに室内機２０に供給する。
【００２５】
図２に示すように、空気調和機１０は、室外機３０と室内機２０の間で冷媒を循環させる冷媒回路を有している。この冷媒回路は、室内機２０の室内熱交換器２１、室外機３０の圧縮機３１、四路切換弁３２、室外熱交換器３３、電動弁３４、フィルタ３５、アキュムレータ３６、液閉鎖弁３７、およびガス閉鎖弁３８が接続されて構成されている。また、連絡配管１２の中には、室内熱交換器２１と液閉鎖弁３７とを接続する液冷媒配管１４、および、室内熱交換器２１とガス閉鎖弁３８とを接続するガス冷媒配管１６が収容されている。
【００２６】
冷房運転時には、四路切換弁３２は図２中実線の状態になっており、圧縮機３１で圧縮された冷媒は、四路切換弁３２を介して室外熱交換器３３に供給される。室外熱交換器３３において外気との熱交換により熱を奪われた冷媒は、電動弁３４で減圧された後、フィルタ３５、液閉鎖弁３７、および液冷媒配管１４を順に通って室内熱交換器２１に供給される。室内熱交換器２１において室内空気との熱交換により温度が上昇した冷媒は、ガス冷媒配管１６、ガス閉鎖弁３８、四路切換弁３２、アキュムレータ３６とを順に通って圧縮機３１に戻される。
【００２７】
暖房運転時には、四路切換弁３２は図２中点線の状態になっており、圧縮機３１で圧縮された冷媒は、四路切換弁３２、ガス閉鎖弁３８、ガス冷媒配管１６を順に通って、室内熱交換器２１に供給される。室内熱交換器２１において室内空気との熱交換により熱が奪われた冷媒は、液冷媒配管１４、液閉鎖弁３７、フィルタ３５を順に通過した後、電動弁３４で減圧されて、その後、室外熱交換器３３に供給される。室外熱交換器３３において外気との熱交換により温度が上昇した冷媒は、アキュムレータ３６を介して圧縮機３１に戻される。
【００２８】
図２に示すように、室内機２０は、室内熱交換器２１に加えて、クロスフローファンからなる室内ファン２２を備えている。室内ファン２２が駆動されると、室外機３０の上部の吸込口２３から室内空気が吸い込まれて、室内熱交換器２１を通過した後、吹出口２４から室内に吹き出される。
【００２９】
また、室内機２０は、連絡配管１２内に収容された加湿ダクト１８を介して、室外機３０の加湿ユニット６０に接続されている。加湿ダクト１８の給気口２５は、空気の流れ方向に関して室内熱交換器２１の上流側に配置されている。加湿運転時には、室外機３０から加湿ダクト１８を介して加湿空気が供給された状態で、室内ファン２２が駆動されることで、吹出口２４から加湿空気が室内に吹き出される。
【００３０】
［室外機の構成］
室外機３０は、ケーシング４０と、ケーシング４０の前面に取り付けられたグリル５６とを有する。図１および図４に示すように、ケーシング４０の内部は、仕切板４３によって送風室４１と機械室４２とに仕切られており、送風室４１内には、室外熱交換器３３と、室外ファン３９と、加湿ユニット６０とが配置されており、機械室４２内には、圧縮機３１、四路切換弁３２、電動弁３４、フィルタ３５およびアキュムレータ３６が配置されている。なお、以下の説明において、室外機３０を正面から見たときの左右方向を単に左右方向と称する。
【００３１】
図３に示すように、ケーシング４０は、略直方体状であって、前板４６、後板５０（図７参照）、右側板４７、左側板５１（図４参照）、天板４８、および底板４９で構成されている。
【００３２】
前板４６には、円形状の吹出口４６ａが形成されている。吹出口４６ａは、前板４６の左右方向中央部より左寄りに形成されている。吹出口４６ａの周囲には、リング状のベルマウス５２が取り付けられている。前板４６の左上部には、横長の略矩形状の吸湿用開口部４６ｂが形成されている。この吸湿用開口部４６ｂの右側には、横長の略矩形状の放湿用開口部４６ｃが形成されている。
【００３３】
図７に示すように、後板５０は、右端以外の大部分が開口しており、この開口部５０ａには図示しない保護金網が取り付けられている。また、左側板５１には、格子状の開口部（図示省略）が形成されている。後板５０と左側板５１の開口部が、ケーシング４０内に外気を取り込む吸込口を構成している。
【００３４】
図４および図５に示すように、仕切板４３は、底板４９に設置されており、上下方向に延びている。仕切板４３の高さは、前端部だけが低くなっており、その他の部分の高さは一定であって、ケーシング４０の側板の上端の高さよりも低い（図５参照）。仕切板４３は、上方から見て、後板５０の右端部から湾曲して前板４６まで延びている。仕切板４３の左側が送風室４１であって、仕切板４３の右側が機械室４２である。
【００３５】
図５に示すように、室外熱交換器３３は、上方から見て略Ｌ字状であって、ケーシング４０の左側板５１と後板５０に沿って配置されている。室外熱交換器３３は、底板４９に設置されており、上下方向に延びている。室外熱交換器３３の上端の高さは、ケーシング４０の側板の上端の高さとほぼ同じである。
【００３６】
室外ファン３９は、ファンモータ３９ａと、ファンモータ３９ａで駆動されるプロペラ３９ｂとによって構成されたプロペラファンである。ファンモータ３９ａはプロペラ３９ｂの後方に配置されて、プロペラ３９ｂの回転軸３９ｂ１に連結されている。室外ファン３９が駆動されると、後板５０の吸込口５０ａと左側板５１の吸込口（図示省略）とから外気が吸い込まれて、室外熱交換器３３を通過した後、前板４６の吹出口４６ａから吹き出される。
【００３７】
図５および図６に示すように、ファンモータ３９ａは、ファンモータ支持部材５３に支持されている。図１０に示すように、ファンモータ支持部材５３は、略上下方向に延びる第１支持部材５３ａと、第１支持部材５３ａから前方に延びる第２支持部材５３ｂとで構成されている。第１支持部材５３ａは、２本の支柱が複数の横桟で連結された構造となっている。この第１支持部材５３ａの上下方向略中央部に、ファンモータ３９ａは固定されている。第１支持部材５３ａの下端は、底板４９の後側部分に固定されている。また、第１支持部材５３ａの上端部は、略Ｕ字状に形成されており、室外熱交換器３３の上端に引っかけられている。
【００３８】
グリル５６は、矩形板状であって、前板４６の左右方向中央部より左寄りの位置に取り付けられて、吹出口４６ａを覆っている。図６に示すように、グリル５６は、前板４６との間に隙間を空けて配置されている。また、図１に示すように、グリル５６のほぼ全面には、多数の桟５６ｄが設けられている。図８および図９に示すように、グリル５６の下側略３／４の部分において、桟５６ｄと桟５６ｄの間は開口しており、グリル５６の下側略３／４の部分には、格子状の開口部５６ａが形成されている。
【００３９】
グリル５６の上側略１／４の部分のうち、前板４６の放湿用開口部４６ｃに対向する位置には、格子状の放湿用開口部５６ｐが形成されている（図７参照）。この放湿用開口部５６ｐの周囲には、後方に突出するリブ５６ｑが形成されている（図９参照）。リブ５６ｑの突出先端は、前板４６に接している。
【００４０】
また、グリル５６の上側略１／４の部分のうち、放湿用開口部５６ｐ以外の部分５６ｂ（以下、非開口部５６ｂとする）では、桟５６ｄと桟５６ｄの間は塞がれている。この非開口部５６ｂは、正面視において前板４６の吹出口４６ａの一部分と重なっている。この重なり部分を重なり部５６ｂ２とする。また、非開口部５６ｂのうち、正面視において、吹出口４６ａの外周側部分と重なる部分を重なり部５６ｂ１とする。
【００４１】
非開口部５６ｂの下端の左右両端部には、後方に突出するリブ５６ｓが形成されている。また、非開口部５６ｂには、リブ５６ｑとリブ５６ｓとを連結するリブ５６ｒが形成されている。リブ５６ｒは、吹出口４６ａの外周側に形成されている。つまり、リブ５６ｒは、重なり部５６ｂ１に形成されている。リブ５６ｒ、５６ｓの突出先端は、前板４６に接している。
【００４２】
非開口部５６ｂの図９中二点鎖線で表示した領域Ａｒに、前板４６の吸湿用開口部４６ｂは対向している。そのため、吹出口４６ａの上端付近から吹き出された空気流ｒ（図９参照）は、リブ５６ｒ、５６ｑと非開口部５６ｂと前板４６とによって囲まれる流路に案内されて、吸湿用開口部４６ｂからケーシング４０内に流れ込む。
【００４３】
［加湿ユニットの構成］
図４に示すように、加湿ユニット（付加機能ユニット）６０は、ケーシング４０の内部空間の上部に配置されている。加湿ユニット６０は、ファンモータ支持部材５３の第２支持部材５３ｂと仕切板４３の上に支持されている。加湿ユニット６０の上面の高さは、室外熱交換器３３の上端の高さとほぼ同じである。加湿ユニット６０の取付構造の詳細については後述する。
【００４４】
加湿ユニット６０は、加湿ロータ用モータ６５によって回転駆動される円盤状の加湿ロータ６３（図２および図６参照）を備えている。加湿ロータ６３は、ゼオライト等の吸放湿材で形成されている。また、加湿ロータ６３は、ハニカム構造に形成されており、厚み方向に空気が通過可能である。ゼオライト等の吸放湿材は、常温の空気に接すると空気中の水分を吸湿し、加熱されると保持している水分を空気中に放湿する性質をもっている。加湿ロータ６３の外周部にはギアが設けられており、このギアと噛み合う歯車を加湿ロータ用モータ６５（図２参照）で駆動することで、加湿ロータ６３は回転駆動される。
【００４５】
図２に示すように、加湿ユニット６０には、外気中の水分を加湿ロータ６３に吸湿させるための吸湿流路６１と、加湿ロータ６３に保持された水分を放湿させて空気を加湿するための放湿流路６２とが形成されている。吸湿流路６１と放湿流路６２とは互いに連通しないように仕切られている。
【００４６】
吸湿流路６１は、吹出口４６ａから吸湿用開口部４６ｂに流入した空気を加湿ロータ６３に導くための吸湿用ダクト６８と、加湿ロータ６３を通過した空気を室外ファン３９に導くための吸湿用ガイド壁（図示省略）とを有する。
【００４７】
吸湿用ダクト６８は、加湿ロータ６３の上面の一部を覆うように配置されている。図４に示すように、吸湿用ダクト６８は、前板４６の吸湿用開口部４６ｂ（図３参照）に対向する位置に、吸気口６８ａを有する。吸気口６８ａは吸湿用開口部４６ｂとほぼ同じ大きさである。図１１に示すように、吸気口６８ａにはフィルタ６８ｆが取り付けられている。
【００４８】
図示は省略するが、吸湿用ガイド壁は、加湿ロータ６３の吸湿用ダクト６８で覆われた領域の下方に配置されており、上下方向に延びる略筒状に形成されている。吸湿用ガイダ壁の下端には排気口６９ａ（図２参照）が形成されている。排気口６９ａの下方には、室外ファン３９のプロペラ３９ｂが配置されている。
【００４９】
室外ファン３９が駆動されると、図６に示すように、吹出口４６ａの上端付近から吹き出された空気が、グリル５６の非開口部５６ｂと前板４６との間の隙間を通過した後、前板４６の吸湿用開口部４６ｂを介して、吸気口６８ａから吸湿用ダクト６８に吸い込まれる。吸湿用ダクト６８に流入した空気は、加湿ロータ６３を上から下に通過した後、吸湿用ガイド壁６９の排気口６９ａから室外ファン３９に送られて、吹出口４６ａから再び吹き出される。加湿ロータ６３を空気が通過する際に、空気中に含まれる水分が加湿ロータ６３に吸湿される。
【００５０】
図２に示すように、放湿流路６２には、加湿ロータ６３を加熱するヒータ７１と、ターボファンからなる加湿ファン７５とが配置されている。放湿流路６２は、加湿ロータ６３に外気を導くための放湿用第１ダクト７２と、加湿ロータ６３を通過した空気を加湿ダクト１８に導くための放湿用第２ダクト７３とを有する。
【００５１】
ヒータ７１は、加湿ロータ６３の上方に配置されている。図６に示すように、ヒータ７１は、加湿ロータ６３の上面の一部（吸湿用ダクト６８で覆われていない部分）を覆うように配置されたヒータカバー７１ａと、ヒータカバー７１ａの内側に配置された電熱線からなる発熱部７１ｂとを有する。ヒータカバー７１ａの内側は、空気が通過可能となっている。
【００５２】
図６に示すように、放湿用第１ダクト７２は、加湿ロータ６３のヒータカバー７１ａで覆われた領域の一部を下方から覆っている。また、図４に示すように、放湿用第１ダクト７２は、前板４６の放湿用開口部４６ｃ（図５参照）に対向する位置に、吸気口７２ａを有する。吸気口７２ａは放湿用開口部４６ｃとほぼ同じ大きさである。
【００５３】
図６に示すように、放湿用第２ダクト７３は、加湿ロータ６３のヒータカバー７１ａで覆われた領域の一部を下方から覆っている。したがって、加湿ロータ６３のヒータカバー７１ａで覆われた領域の下面は、放湿用第１ダクト７２と放湿用第２ダクト７３で覆われている。放湿用第２ダクト７３の排気口は、加湿ファン７５の吸入側に接続されており、この加湿ファン７５の吹出側は、加湿ダクト１８に接続されている（図２参照）。また、放湿用第２ダクト７３には、空気の逆流を防止するためのダンパ７４（図２参照）が設けられている。
【００５４】
加湿ファン７５が駆動されると、外気が前板４６の放湿用開口部４６ｃを介して、吸気口７２ａから放湿用第１ダクト７２に吸い込まれる。そして、図６に示すように、放湿用第１ダクト７２に流入した空気は、加湿ロータ６３を下から上に通過した後、ヒータ７１に流れ込む。ヒータ７１に流入した空気は、加湿ロータ６３を上から下に通過した後、放湿用第２ダクト７３と加湿ダクト１８とを介して、室内機２０に供給される。加湿ロータ６３はヒータ７１によって加熱されることで、吸湿流路６１を通過する外気から吸湿した水分を放湿するため、この放湿流路６２では、加湿ロータ６３を空気が通過する際に、空気が加湿される。
【００５５】
次に、加湿ユニット６０とファンモータ支持部材５３とケーシング４０の前板４６との取付構造の詳細について説明する。
【００５６】
上述したように、加湿ユニット６０は、ファンモータ支持部材５３の第２支持部材５３ｂと仕切板４３の上に支持されている。図１０に示すように、第２支持部材５３ｂは、前後方向に延びる略板状の部材であって、その上面には、延在方向に沿って延びる２本の凸部５３ｃが形成されている。この凸部５３ｃは、加湿ユニット６０の下面に形成された凹部（図示省略）に嵌合する。これにより、加湿ユニット６０が第２支持部材に対して左右方向に位置ずれするのを防止できる。
【００５７】
第２支持部材５３ｂの前端部は、上方に向かって略直角に折れ曲がっており、ケーシング４０の前板４６と接する（図６参照）。第２支持部材５３ｂの前端部には、ネジ孔５４と２つの矩形状の係止孔５５が形成されている。係止孔５５の上縁は、左右方向中央部が差左右両端部よりも後方に位置している。
【００５８】
図１２および図１３に示すように、加湿ユニット６０の前面部において、係止孔５５と対向する位置には、前方に突出する係止爪６７が形成されている。係止爪６７の上端は、ほぼ水平な平坦面に形成されている。加湿ユニット６０が第２支持部材５３ｂの上に載せられた状態では、係止爪６７の上端面が係止孔５５の上縁に押し付けられて、係止爪６７は係止孔５５に固定される。上述したように、係止孔５５の上縁は、左右方向中央部が左右両端部よりも後方に位置しており、上下方向から見て直線状ではないため、強度が高く破損しにくい。
【００５９】
また、ケーシング４０の前板４６は、第２支持部材５３ｂのネジ孔５４と対向する位置に、貫通孔（図示省略）を有しており、この貫通孔を貫通したネジ７７が第２支持部材５３ｂのネジ孔５４に螺合されて、前板４６と第２支持部材５３ｂが固定される。
【００６０】
図１２に示すように、加湿ユニット６０の前面部において、吸気口７２ａの右下部には、ネジ孔６０ａが形成されている。また、このネジ孔６０ａの左側近傍には、前方に突出する十字状の突起部６６が形成されている。また、加湿ユニット６０の前面において、吸湿用開口部４６ｂの左下部には、ネジ孔６０ｂが形成されている。
【００６１】
図１４に示すように、前板４６の放湿用開口部４６ｃの下縁には、三角形状の切欠き４６ｄが形成されている。この切欠き４６ｄに、加湿ユニット６０の突起部６６が係合される。また、前板４６は、加湿ユニット６０のネジ孔６０ａ、６０ｂと対向する位置に、貫通孔（図示省略）を有しており、この貫通孔を貫通したネジ７７が加湿ユニット６０のネジ孔６０ａ、６０ｂに螺合されて、前板４６と加湿ユニット６０が固定される。
【００６２】
図５の状態の室外機に、加湿ユニット６０と前板４６とを取り付ける際には、まず、加湿ユニット６０の係止爪６７を第２支持部材５３ｂの係止孔５５に挿入しつつ、加湿ユニット６０を仕切板４３と第２支持部材５３ｂの上に設置する。これにより、係止爪６７が係止孔５５に固定されて、加湿ユニット６０が第２支持部材５３ｂに固定される。その結果、加湿ユニット６０の自重による加湿ユニット６０と第２支持部材５３ｂのたわみが抑制される。
【００６３】
次に、前板４６の切欠き４６ｄに、加湿ユニット６０の突起部６６を係合させて、前板４６を左右側板４７、５１と底板４９に取り付ける。このとき、たとえ加湿ユニット６０が自重により若干たわんでいたとしても、突起部６６と切欠き４６ｄとが係合しているため、前板４６を上に移動させることで、加湿ユニット６０を所定の固定位置に配置することができる。このように加湿ユニット６０を所定の固定位置に配置した状態で、前板４６の貫通孔（図示省略）と加湿ユニット６０のネジ孔６０ａ、６０ｂにネジ７７を挿入して、前板４６と加湿ユニット６０とをネジ止めする。また、前板４６の貫通孔（図示省略）と第２支持部材５３ｂのネジ孔５４にネジ７７を挿入して、前板４６と第２支持部材５３ｂとをネジ止めする。
【００６４】
本実施形態の室外機３０には、以下の特徴がある。
【００６５】
本実施形態の室外機３０では、加湿ユニット６０とケーシング４０の前板４６とを固定する際に、加湿ユニット６０が自重によってたわんで所定固定位置からずれている場合であっても、加湿ユニット６０の突起部６６とケーシング４０の切欠き４６ｄを係合させることで、加湿ユニット６０を所定固定位置に配置することができるため、加湿ユニット６０と前板４６の固定位置のずれを解消できる。したがって、室外機３０の組立性を向上させることができる。
【００６６】
切欠き４６ｄは、上方に開口しているため、加湿ユニット６０の突起部６６を切欠き４６ｄに係合させて、ケーシング４０を上方に移動させることで、加湿ユニット６０を所定固定位置に配置することができる。
【００６７】
また、切欠き４６ｄは、三角形状であって、開口側に向かって幅が広くなっているため、切欠き４６ｄに突起部６６を挿入しやすい。
【００６８】
また、切欠き４６ｄは、放湿用開口部４６ｃの下縁に形成された切欠き４６ｄであるため、切欠き４６ｄの上方の空間を広く確保できる。そのため、切欠き４６ｄに突起部６６を挿入しやすい。
【００６９】
また、本実施形態では、加湿ユニット６０を第２支持部材５３ｂに固定することによって、加湿ユニット６０と第２支持部材５３ｂのたわみを低減できる。したがって、加湿ユニット６０と前板４６の固定位置のずれを抑制できるため、室外機３０の組立性をより向上させることができる。
【００７０】
以上、本発明の実施の形態について説明したが、本発明の具体的な構成は、上記実施形態に限定されるものでないと考えられるべきである。本発明の範囲は、上記実施形態の説明だけではなく特許請求の範囲によって示され、さらに特許請求の範囲と均等の意味および範囲内でのすべての変更が含まれる。なお、以下の変更形態は、適宜組み合わせて実施することも可能である。
【００７１】
上記実施形態では、切欠き４６ｄは三角形状であるが、この形状に限定されるものではない。また、上記実施形態では、突起部６６は断面十字状であるが、この形状に限定されるものではない。
【００７２】
上記実施形態では、前板４６の切欠き４６ｄと加湿ユニット６０の突起部６６とを係合させることで、加湿ユニット６０を所定の固定位置に配置できるようになっているが、加湿ユニット６０を所定の固定位置に配置するための前板４６と加湿ユニット６０の係合機構はこれに限定されるものではない。例えば、前板４６に設けた孔に、加湿ユニット６０の突起部６６を係合させてもよい。また、例えば、加湿ユニット６０の前面に設けた下方に開口した凹部に、前板４６の裏面から後方に突出する突起部を係合させてもよい。
【００７３】
上記実施形態では、加湿ユニット６０を、仕切板４３と第２支持部材５３ｂで支持しているが、仕切板４３で支持する代わりに、別途設けた支持部材によって支持してもよい。この支持部材は、ファンモータ支持部材５３とは左右方向に離れた位置に配置する。
【００７４】
本発明の付加機能ユニットは、加湿ユニット６０に限定されるものではない。
【産業上の利用可能性】
【００７５】
本発明を利用すれば、室外機の組立性を向上させることができる。
【符号の説明】
【００７６】
３０  室外機
４０  ケーシング
４１  仕切板
４６  前板
４６ｃ  放湿用開口部（開口部）
４６ｄ  切欠き
３９  ファン
３９ａ  ファンモータ
５３  ファンモータ支持部材（モータ支持部材）
５３ａ  第１支持部材
５３ｂ  第２支持部材
６０  加湿ユニット（付加機能ユニット）
６０ａ、６０ｂ  ネジ孔
６６  突起部
７７  ネジ
【図１】
2014070819.tif 000003
【図２】
2014070819.tif 000004
【図３】
2014070819.tif 000005
【図４】
2014070819.tif 000006
【図５】
2014070819.tif 000007
【図６】
2014070819.tif 000008
【図７】
2014070819.tif 000009
【図８】
2014070819.tif 000010
【図９】
2014070819.tif 000011
【図１０】
2014070819.tif 000012
【図１１】
2014070819.tif 000013
【図１２】
2014070819.tif 000014
【図１３】
2014070819.tif 000015
【図１４】
2014070819.tif 000016